(57)【要約】【課題】移動体無線通信網のＨｏｍｅ−ＮＢには、有効な近隣セルを抽出して設定し、Ｈｏｍｅ−ＮＢに接続された無線通信端末装置には、有効な近隣セル情報のみを通知することができるようにすること。【解決手段】メモリー領域６０６には、Ｈｏｍｅ−ＮＢの一部若しくは全てのカバレッジを共有する近隣セルのＩＤとＣＳＧ−ＩＤ若しくはマクロセルとの対応関係を示す対応表に加えて、Ｈｏｍｅ−ＮＢの所有者用のＣＳＧホワイトリスト等を格納し、前記対応表に記載された近隣セルの内から、前記ＣＳＧホワイトリストに記載されたＣＳＧ−ＩＤと対応する近隣セルのみを抽出して近隣セルリストに記載し、この近隣セルリストをＨｏｍｅ−ＮＢの所有者の無線通信端末装置に通知する。このＣＳＧホワイトリストは、モバイルネットワークシステムサーバー等から取得することができる。【選択図】図３
2010171660.tif 000002
【特許請求の範囲】
【請求項１】
移動体無線通信網内の複数のセルの各々に対応した複数の基地局及び複数の小型基地局と、移動可能な複数の無線通信端末装置とで構成され、前記複数の通信端末装置の各々に対して、移動可能な近隣セルを通知できるようにするための移動体無線通信網における近隣セル設定システムにおいて、   前記無線通信端末装置の一部のみがアクセス可能な加入者グループを識別するＣＳＧ (Cell Subscriber Group)−ＩＤを掲載したＣＳＧホワイトリストを取得する手段と、   前記複数の小型基地局の各々に、当該小型基地局の所有者用の前記ＣＳＧホワイトリストを設置する手段と、
前記複数の小型基地局の各々に、近隣セルを識別する近隣セルＩＤと、各近隣セル自身が持つＣＳＧ−ＩＤとの対応を記載した対応表を設置する手段と、
前記複数の小型基地局の各々において、前記対応表に記載された近隣セルの内から、ＣＳＧ−ＩＤが、前記ＣＳＧホワイトリストに記載されたＣＳＧ−ＩＤと一致する近隣セルのみを抽出し、該抽出した近隣セルのＩＤを近隣セルリストとして記載する手段と、
前記複数の小型基地局の各々において、前記作成した近隣セルリストを、自己に接続された前記無線通信端末装置に通知する手段と、
を備えたことを特徴とする移動体無線通信網における近隣セル設定システム。
【請求項２】
前記小型基地局に設置する前記ＣＳＧホワイトリストは、前記小型基地局の所有者が恒常的にアクセス可能なセルだけを記載したリストと、前記小型基地局の所有者が一時的にアクセス可能となったセルだけを記載したリストとから成ることを特徴とする請求項１記載の移動体無線通信網における近隣セル設定システム。
【請求項３】
前記小型基地局に設置する前記ＣＳＧホワイトリストは、前記小型基地局の管轄として当該小型基地局に接続される無線通信端末のＣＳＧホワイトリストと、前記小型基地局に移動可能な、前記小型基地局の他局管轄の複数の無線通信端末のＣＳＧホワイトリストと、から成ることを特徴とする請求項１記載の移動体無線通信網における近隣セル設定システム。
【請求項４】
移動体無線通信網内の複数のセルの各々に対応した複数の基地局及び複数の小型基地局と、移動可能な複数の無線通信端末装置とで構成され、前記複数の通信端末装置の各々に対して、移動可能な近隣セルを通知できるようにするための移動体無線通信網における近隣セル設定システムにおいて、
前記無線通信端末装置の一部のみがアクセス可能な加入者グループを識別するＣＳＧ (Cell Subscriber Group)−ＩＤを掲載したＣＳＧホワイトリストを取得する手段と、
前記複数の小型基地局の各々に、当該小型基地局の所有者用の前記ＣＳＧホワイトリストを設置する手段と、
前記複数の小型基地局の各々に、近隣セルを識別する近隣セルＩＤと、各近隣セル自身が持つＣＳＧ−ＩＤとの対応を記載した対応表を設置する手段と、
前記複数の小型基地局の各々において、前記対応表に記載された近隣セルの内、前記ＣＳＧホワイトリストに記載されたＣＳＧ−ＩＤと一致する近隣セルには高い無線通信品質の補正値（Ｑｏｆｆｓｅｔ）を付与し、前記一致がとれない残りの近隣セルには低い無線通信品質の補正値（Ｑｏｆｆｓｅｔ）を付与して、前記近隣セル各々のＩＤを記載した近隣セルリストを作成する手段と、
前記複数の小型基地局の各々において、前記作成した近隣セルリストを、自己に接続された前記無線通信端末装置に通知する手段と、
を備えたことを特徴とする移動体無線通信網における近隣セル設定システム。
【請求項５】
前記ＣＳＧホワイトリストを、当該移動体無線通信網内に設置されたシステムサーバーからのメッセッージを介して取得することを特徴とする請求項１乃至４のいずれか１項に記載の移動体無線通信網における近隣セル設定システム。
【請求項６】
前記ＣＳＧホワイトリストを、外部システムの入出力装置から読み込んで取得することを特徴とする請求項１乃至４のいずれか１項に記載の移動体無線通信網における近隣セル設定システム。
【請求項７】
移動体無線通信網内の複数のセルの各々に対応した複数の基地局及び複数の小型基地局と、移動可能な複数の無線通信端末装置とで構成され、前記複数の通信端末装置の各々に対して、移動可能な近隣セルを通知できるようにするための移動体無線通信網における近隣セル設定方法であって、
前記無線通信端末装置の一部のみがアクセス可能な加入者グループを識別するＣＳＧ (Cell Subscriber Group)−ＩＤを掲載したＣＳＧホワイトリストを取得するステップと、
前記複数の小型基地局の各々に、当該小型基地局の所有者用の前記ＣＳＧホワイトリストを設置するステップと、
前記複数の小型基地局の各々に、近隣セルを識別する近隣セルＩＤと、各近隣セル自身が持つＣＳＧ−ＩＤとの対応を記載した対応表を設置するステップと、
前記複数の小型基地局の各々において、前記対応表に記載された近隣セルの内から、ＣＳＧ−ＩＤが、前記ＣＳＧホワイトリストに記載されたＣＳＧ−ＩＤと一致する近隣セルのみを抽出し、該抽出した近隣セルのＩＤを近隣セルリストとして記載するステップと、
前記複数の小型基地局の各々において、前記作成した近隣セルリストを、自己に接続された前記無線通信端末装置に通知するステップと、
を有することを特徴とする移動体無線通信網における近隣セル設定方法。
【請求項８】
移動体無線通信網内の複数のセルの各々に対応した複数の基地局及び複数の小型基地局と、移動可能な複数の無線通信端末装置とで構成され、前記複数の通信端末装置の各々に対して、移動可能な近隣セルを通知できるようにするための移動体無線通信網における近隣セル設定方法であって、
前記無線通信端末装置の一部のみがアクセス可能な加入者グループを識別するＣＳＧ (Cell Subscriber Group)−ＩＤを掲載したＣＳＧホワイトリストを取得するステップと、
前記複数の小型基地局の各々に、当該小型基地局の所有者用の前記ＣＳＧホワイトリストを設置するステップと、   前記複数の小型基地局の各々に、近隣セルを識別する近隣セルＩＤと、各近隣セル自身が持つＣＳＧ−ＩＤとの対応を記載した対応表を設置する手段と、   前記複数の小型基地局の各々において、前記対応表に記載された近隣セルの内、前記ＣＳＧホワイトリストに記載されたＣＳＧ−ＩＤと一致する近隣セルには高い無線通信品質の補正値（Ｑｏｆｆｓｅｔ）を付与し、前記一致がとれない残りの近隣セルには低い無線通信品質の補正値（Ｑｏｆｆｓｅｔ）を付与して、前記近隣セル各々のＩＤを記載した近隣セルリストを作成するステップと、
前記複数の小型基地局の各々において、前記作成した近隣セルリストを、自己に接続された前記無線通信端末装置に通知するステップと、
を備えたことを特徴とする移動体無線通信網における近隣セル設定方法。
【請求項９】
移動体無線通信網内の複数の基地局と共に複数のセルを形成し、移動可能な複数の無線通信端末装置の各々に対して、移動可能な近隣セルを通知する移動体無線通信網における小型基地局において、
前記無線通信端末装置の一部のみがアクセス可能な加入者グループを識別するＣＳＧ (Cell Subscriber Group)−ＩＤを掲載したＣＳＧホワイトリストを取得する手段と、
自己の所有者用の前記ＣＳＧホワイトリストを設置する手段と、
近隣セルを識別する近隣セルＩＤと、前記ＣＳＧホワイトリストに含められたＣＳＧ−ＩＤとの対応を記載した対応表を設置する手段と、
前記対応表に記載された近隣セルの内から、ＣＳＧ−ＩＤが、前記ＣＳＧホワイトリストに記載されたＣＳＧ−ＩＤと一致する近隣セルのみを抽出し、該抽出した近隣セルのＩＤを近隣セルリストとして記載する手段と、
前記作成した近隣セルリストを、自己に接続された前記無線通信端末装置に通知する手段と、
を備えたことを特徴とする移動体無線通信網における小型基地局。
【請求項１０】
移動体無線通信網内の複数の基地局と共に複数のセルを形成し、移動可能な複数の無線通信端末装置の各々に対して、移動可能な近隣セルを通知する移動体無線通信網における小型基地局において、
前記無線通信端末装置の一部のみがアクセス可能な加入者グループを識別するＣＳＧ (Cell Subscriber Group)−ＩＤを掲載したＣＳＧホワイトリストを取得する手段と、
自己の所有者用の前記ＣＳＧホワイトリストを設置する手段と、
近隣セルを識別する近隣セルＩＤと、前記ＣＳＧホワイトリストに含められたＣＳＧ−ＩＤとの対応を記載した対応表を設置する手段と、
前記対応表に記載された近隣セルの内、前記ＣＳＧホワイトリストに記載されたＣＳＧ−ＩＤと一致する近隣セルには高い無線通信品質の補正値（Ｑｏｆｆｓｅｔ）を付与し、前記一致がとれない残りの近隣セルには低い無線通信品質の補正値（Ｑｏｆｆｓｅｔ）を付与して、前記近隣セル各々のＩＤを記載した近隣セルリストを作成する手段と、
前記作成した近隣セルリストを、自己に接続された前記無線通信端末装置に通知する手段と、
を備えたことを特徴とする移動体無線通信網における小型基地局。
【発明の詳細な説明】
【技術分野】
【０００１】
本発明は移動体無線通信網における近隣セル設定システム、及び移動体無線通信網における近隣セル設定方法に係り、特に、移動体無線通信網において、近隣セル情報を無線通信端末装置に通知する機能を有する、移動体無線通信網における近隣セル設定システム、及び移動体無線通信網における近隣セル設定方法、小型基地局に関する。
【背景技術】
【０００２】
従来の移動体無線通信網における近隣セル設定システムとしては、例えば図１４のタイムチャート図に示すような動作を実行するものがある。
同図において、Ｈｏｍｅ−ＮＢ（小型無線基地局）が起動されると、当該Ｈｏｍｅ−ＮＢは、近隣セルリストに基づいて、当該Ｈｏｍｅ−ＮＢの一部、若しくは全てのカバレッジを共有する近隣セルの情報全てを、一旦、自己のメモリー領域６０６に格納し、その後、無線通信端末装置に通知する。
【０００３】
先願発明として、例えば特許文献１には、特定ユーザ向け基地局に対するアクセスが許可されている移動局に対し、周波数情報や基地局ＩＤ情報を通知する特定ユーザ向けのＨｏｍｅ−ｅＮＢを導入した移動通信システムが開示されている。
また、特許文献２には、ホーム加入者によりネットワークに使用されるターミナル装置に関し、ブラックリスト、グレーリスト、ホワイトリストを用いて、アクセスが許された装置か否かを判定する移動通信システムが開示されている。
【０００４】
さらに、特許文献３には、移動局のための近隣セルのリストを、当該移動局に対して許可されたネットワークのリストに基づいて、最適化したリストを作成する移動通信システムが開示されている。
【先行技術文献】
【特許文献】
【０００５】
【特許文献１】特開２００８−２７８２６４号公報
【特許文献２】特表２００２−５０５０５６号公報
【特許文献３】特表２００４−５２２３４８号公報
【発明の概要】
【発明が解決しようとする課題】
【０００６】
しかしながら、上記背景技術で述べた従来の移動体無線通信網における近隣セル設定システムにあっては、Ｈｏｍｅ−ＮＢは、当該Ｈｏｍｅ−ＮＢに接続する無線通信端末のＣＳＧ (Cell Subscriber Group)ホワイトリスト（このリストにはＣＳＧ−ＩＤ（(Cell Subscriber Group)-ID、以下、単に「ＣＳＧＩＤ」と称する）が掲載されている）を知ることができないので、当該Ｈｏｍｅ−ＮＢから当該無線通信端末に通知され、かつ当該無線通信端末が受信する近隣セル情報には、当該無線通信端末が移動可能なセルのＣＳＧＩＤとして、ＣＳＧホワイトリストには掲載されていないＣＳＧＩＤまで含められているため、この近隣セル情報を受信した当該無線通信端末は、許容されていない多くのＣＳＧＩＤのセルへ移動することを試みるという無駄な結果を招来し、このため当該無線通信端末における処理手順の増加や、セル再選択中によるサービス中断、無駄なバッテリー消費に繋がってしまうという問題点があった。
【０００７】
また、無線通信端末に送信することが可能な近隣セル情報数に上限が定められている場合には、Ｈｏｍｅ−ＮＢが非常に多くの近隣セルを検出してしまう場合に、当該無線通信端末が移動可能なセルを、近隣セル情報として当該無線通信端末に通知できない場合が生じるという問題点があった。
本発明は、上記従来の問題点に鑑みてなされたものであって、Ｈｏｍｅ−ＮＢにおける近隣セル設定の際に、当該Ｈｏｍｅ−ＮＢの所有者の持つ無線通信端末が移動可能なセルを記載したＨｏｍｅ−ＮＢの所有者用のＣＳＧホワイトリストを参照することで、Ｈｏｍｅ−ＮＢが検出する近隣セル情報をフィルタリングすることを可能にして、Ｈｏｍｅ−ＮＢに接続された当該Ｈｏｍｅ−ＮＢの所有者の持つ無線通信端末には、有効な近隣セル情報のみを通知することができる移動体無線通信網における近隣セル設定システムを提供することを目的としている。
【０００８】
本発明の他の目的は、Ｈｏｍｅ−ＮＢにおける近隣セル設定の際に、無線通信端末が移動可能なセルを記載したＨｏｍｅ−ＮＢの所有者用のＣＳＧホワイトリストを参照することで、Ｈｏｍｅ−ＮＢが検出する近隣セル情報をフィルタリングすることを可能にして、Ｈｏｍｅ−ＮＢに接続された無線通信端末には、有効な近隣セル情報のみを通知することができる移動体無線通信網における近隣セル設定方法を提供することにある。
【課題を解決するための手段】
【０００９】
上記課題を解決するために、本発明に係る移動体無線通信網における近隣セル設定システムは、移動体無線通信網内の複数のセルの各々に対応した複数の基地局及び複数の小型基地局と、移動可能な複数の無線通信端末とで構成され、前記複数の通信端末装置の各々に対して、移動可能な近隣セルを通知できるようにするための移動体無線通信網における近隣セル設定システムにおいて、前記無線通信端末の一部のみがアクセス可能な加入者グループを識別するＣＳＧ (Cell Subscriber Group)−ＩＤを掲載したＣＳＧホワイトリストを取得する手段と、前記複数の小型基地局の各々に、当該小型基地局の所有者用の前記ＣＳＧホワイトリストを設置する手段と、前記複数の小型基地局の各々に、近隣セルを識別する近隣セルＩＤと、各近隣セル自身が持つＣＳＧ−ＩＤとの対応を記載した対応表を設置する手段と、前記複数の小型基地局の各々において、前記対応表に記載された近隣セルの内から、ＣＳＧ−ＩＤが、前記ＣＳＧホワイトリストに記載されたＣＳＧ−ＩＤと一致する近隣セルのみを抽出し、該抽出した近隣セルのＩＤを近隣セルリストとして記載する手段と、前記複数の小型基地局の各々において、前記作成した近隣セルリストを、自己に接続された前記無線通信端末に通知する手段と、を備えたことを特徴とする移動体無線通信網における近隣セル設定システムを提供するものである。
【００１０】
また、本発明に係る移動体無線通信網における近隣セル設定システムは、移動体無線通信網内の複数のセルの各々に対応した複数の基地局及び複数の小型基地局と、移動可能な複数の無線通信端末とで構成され、前記複数の通信端末装置の各々に対して、移動可能な近隣セルを通知できるようにするための移動体無線通信網における近隣セル設定システムにおいて、前記無線通信端末の一部のみがアクセス可能な加入者グループを識別するＣＳＧ (Cell Subscriber Group)−ＩＤを掲載したＣＳＧホワイトリストを取得する手段と、前記複数の小型基地局の各々に、当該小型基地局の所有者用の前記ＣＳＧホワイトリストを設置する手段と、前記複数の小型基地局の各々に、近隣セルを識別する近隣セルＩＤと、各近隣セル自身が持つＣＳＧ−ＩＤとの対応を記載した対応表を設置する手段と、前記複数の小型基地局の各々において、前記対応表に記載された近隣セルの内、前記ＣＳＧホワイトリストに記載されたＣＳＧ−ＩＤと一致する近隣セルには高い無線通信品質の補正値（Ｑｏｆｆｓｅｔ）を付与し、前記一致がとれない残りの近隣セルには低い無線通信品質の補正値（Ｑｏｆｆｓｅｔ）を付与して、前記近隣セル各々のＩＤを記載した近隣セルリストを作成する手段と、前記複数の小型基地局の各々において、前記作成した近隣セルリストを、自己に接続された前記無線通信端末に通知する手段と、を備えたことを特徴とする移動体無線通信網における近隣セル設定システムを提供するものである。
【００１１】
また、本発明に係る移動体無線通信網における近隣セル設定方法は、移動体無線通信網内の複数のセルの各々に対応した複数の基地局及び複数の小型基地局と、移動可能な複数の無線通信端末とで構成され、前記複数の通信端末装置の各々に対して、移動可能な近隣セルを通知できるようにするための移動体無線通信網における近隣セル設定方法であって、前記無線通信端末の一部のみがアクセス可能な加入者グループを識別するＣＳＧ (Cell Subscriber Group)−ＩＤを掲載したＣＳＧホワイトリストを取得するステップと、前記複数の小型基地局の各々に、当該小型基地局の所有者用の前記ＣＳＧホワイトリストを設置するステップと、前記複数の小型基地局の各々に、近隣セルを識別する近隣セルＩＤと、各近隣セル自身が持つＣＳＧ−ＩＤとの対応を記載した対応表を設置するステップと、前記複数の小型基地局の各々において、前記対応表に記載された近隣セルの内から、ＣＳＧ−ＩＤが、前記ＣＳＧホワイトリストに記載されたＣＳＧ−ＩＤと一致する近隣セルのみを抽出し、該抽出した近隣セルのＩＤを近隣セルリストとして記載するステップと、前記複数の小型基地局の各々において、前記作成した近隣セルリストを、自己に接続された前記無線通信端末に通知するステップと、を有することを特徴とする移動体無線通信網における近隣セル設定方法を提供するものである。
【００１２】
また、本発明に係る移動体無線通信網における近隣セル設定方法は、移動体無線通信網内の複数のセルの各々に対応した複数の基地局及び複数の小型基地局と、移動可能な複数の無線通信端末とで構成され、前記複数の通信端末装置の各々に対して、移動可能な近隣セルを通知できるようにするための移動体無線通信網における近隣セル設定方法であって、前記無線通信端末の一部のみがアクセス可能な加入者グループを識別するＣＳＧ (Cell Subscriber Group)−ＩＤを掲載したＣＳＧホワイトリストを取得するステップと、前記複数の小型基地局の各々に、当該小型基地局の所有者用の前記ＣＳＧホワイトリストを設置するステップと、前記複数の小型基地局の各々に、近隣セルを識別する近隣セルＩＤと、各近隣セル自身が持つＣＳＧ−ＩＤとの対応を記載した対応表を設置する手段と、前記複数の小型基地局の各々において、前記対応表に記載された近隣セルの内、前記ＣＳＧホワイトリストに記載されたＣＳＧ−ＩＤと一致する近隣セルには高い無線通信品質の補正値（Ｑｏｆｆｓｅｔ）を付与し、前記一致がとれない残りの近隣セルには低い無線通信品質の補正値（Ｑｏｆｆｓｅｔ）を付与して、前記近隣セル各々のＩＤを記載した近隣セルリストを作成するステップと、前記複数の小型基地局の各々において、前記作成した近隣セルリストを、自己に接続された前記無線通信端末に通知するステップと、を備えたことを特徴とする移動体無線通信網における近隣セル設定方法を提供するものである。
【００１３】
また、本発明に係る移動体無線通信網における小型基地局は、移動体無線通信網内の複数の基地局と共に複数のセルを形成し、移動可能な複数の無線通信端末の各々に対して、移動可能な近隣セルを通知する移動体無線通信網における小型基地局において、前記無線通信端末の一部のみがアクセス可能な加入者グループを識別するＣＳＧ (Cell Subscriber Group)−ＩＤを掲載したＣＳＧホワイトリストを取得する手段と、自己の所有者用の前記ＣＳＧホワイトリストを設置する手段と、近隣セルを識別する近隣セルＩＤと、前記ＣＳＧホワイトリストに含められたＣＳＧ−ＩＤとの対応を記載した対応表を設置する手段と、前記対応表に記載された近隣セルの内から、ＣＳＧ−ＩＤが、前記ＣＳＧホワイトリストに記載されたＣＳＧ−ＩＤと一致する近隣セルのみを抽出し、該抽出した近隣セルのＩＤを近隣セルリストとして記載する手段と、前記作成した近隣セルリストを、自己に接続された前記無線通信端末に通知する手段と、を備えたことを特徴とする移動体無線通信網における小型基地局を提供するものである。
【００１４】
さらに、本発明に係る移動体無線通信網における小型基地局は、移動体無線通信網内の複数の基地局と共に複数のセルを形成し、移動可能な複数の無線通信端末の各々に対して、移動可能な近隣セルを通知する移動体無線通信網における小型基地局において、前記無線通信端末の一部のみがアクセス可能な加入者グループを識別するＣＳＧ (Cell Subscriber Group)−ＩＤを掲載したＣＳＧホワイトリストを取得する手段と、自己の所有者用の前記ＣＳＧホワイトリストを設置する手段と、近隣セルを識別する近隣セルＩＤと、前記ＣＳＧホワイトリストに含められたＣＳＧ−ＩＤとの対応を記載した対応表を設置する手段と、前記対応表に記載された近隣セルの内、前記ＣＳＧホワイトリストに記載されたＣＳＧ−ＩＤと一致する近隣セルには高い無線通信品質の補正値（Ｑｏｆｆｓｅｔ）を付与し、前記一致がとれない残りの近隣セルには低い無線通信品質の補正値（Ｑｏｆｆｓｅｔ）を付与して、前記近隣セル各々のＩＤを記載した近隣セルリストを作成する手段と、前記作成した近隣セルリストを、自己に接続された前記無線通信端末に通知する手段と、を備えたことを特徴とする移動体無線通信網における小型基地局を提供するものである。
【発明の効果】
【００１５】
以上説明したように、本発明の移動体無線通信網における近隣セル設定システムによれば、Ｈｏｍｅ−ＮＢが、当該Ｈｏｍｅ−ＮＢに接続する無線通信端末のＣＳＧ−ホワイトリストを取得し、参照することで、当該ＣＳＧ−ホワイトリストに含められるＣＳＧ−ＩＤを持つ近隣セルのみをＨｏｍｅ−ＮＢの所有者の持つ無線通信端末に送信できるようにし、これにより、当該Ｈｏｍｅ−ＮＢに接続する無線通信端末の携帯者が予め移動可能なセルのみを抽出できるので、無駄な処理を無くすと共に、バッテリー消費を節減することが可能となる効果がある。
【図面の簡単な説明】
【００１６】
【図１】本発明の実施形態に係る移動体無線通信網における近隣セル設定システムの全体構成を示す構成図である。
【図２】本実施形態の移動体線通信網における近隣セル設定システムのＨｏｍｅ−ＮＢの１構成例を示すブロック構成図である。
【図３】図２に示すメモリー領域６０６に記憶されているデータの１例を示すデータ構成図である。
【図４】図２に示すメモリー領域６０６のデータと、このデータを演算処理部６０７で処理した処理結果とを示すデータ構成図である。
【図５】無線通信端末のための近隣セル設定にＨｏｍｅ−ＮＢの所有者用のＣＳＧホワイトリストを利用する場合のＨｏｍｅ−ＮＢの動作を示すタイムチャート図である。
【図６】本発明の他の実施形態に係る移動体無線通信網における近隣セル設定システムにおいて、Ｈｏｍｅ−ＮＢのメモリー領域６０６に格納されるデータ例を示すデータ構成図である。
【図７】図６に示すメモリー領域６０６のデータと、このデータを演算処理部６０７で処理した処理結果とを示すデータ構成図である。
【図８】無線通信端末のための近隣セル設定の際に参照されるＣＳＧホワイトリスト（図６，７参照）の更新動作を示すタイムチャート図である。
【図９】本発明の他の実施形態に係る移動体無線通信網における近隣セル設定システムにおいて、Ｈｏｍｅ−ＮＢのメモリー領域６０６に格納される他のデータ例を示すデータ構成図である。
【図１０】図９に示すメモリー領域６０６のデータと、このデータを演算処理部６０７で処理した処理結果とを示すデータ構成図である。
【図１１】無線通信端末のための近隣セル設定の際に参照されるＣＳＧホワイトリスト（図９，１０参照）の更新動作を示すタイムチャート図である。
【図１２】メモリー領域６０６のデータと、近隣セルの無線通信品質の補正値（Ｑｏｆｆｓｅｔ）とを演算処理部６０７で処理した処理結果を示すデータ構成図である。
【図１３】無線通信端末のための近隣セル設定の際に参照されるＣＳＧホワイトリスト（図１２参照）の更新動作を示すタイムチャート図である。
【図１４】従来の移動体無線通信網における近隣セル設定システムの動作を示すタイムチャート図である。
【発明を実施するための形態】
【００１７】
本発明の原理は、モバイルネットワークシステムにおけるカバレッジの小さなＨｏｍｅ−ＮＢにおいて、無線通信端末のための近隣セル設定にＨｏｍｅ−ＮＢの所有者用のＣＳＧ (Cell Subscriber Group)ホワイトリストを利用できるようにしたことにある。
即ち、任意のＨｏｍｅ・ＮＢは、Ｈｏｍｅ−ＮＢの所有者用のＣＳＧホワイトリストを取得し、このＨｏｍｅ−ＮＢが、そのカバレッジの一部若しくは全てを共有する近隣セルを無線通信端末に通知する際には、これら近隣セルのＣＳＧＩＤと、当該Ｈｏｍｅ−ＮＢの所有者用のＣＳＧホワイトリストとを比較することで、ＣＳＧホワイトリストに含められたＣＳＧＩＤを持つ近隣セルのみを抽出するように構成し、当該Ｈｏｍｅ−ＮＢに接続された無線通信端末装置が移動可能な近隣セルだけを優先して通知する。
【００１８】
以下、本発明の移動体無線通信網における近隣セル設定システムの最良の実施形態について、図面を参照して詳細に説明する。
図１は、本発明の実施形態に係る移動体無線通信網における近隣セル設定システムの全体構成を示す構成図である。
同図において、本実施形態の移動体無線通信網（モバイルネットワーク）における近隣セル設定システムは、移動体無線通信網を形成する構成要素として、基地局５０１，５０２と、Ｈｏｍｅ−ＮＢ４０１〜４０４と、端末（以下、「無線通信端末」と呼称する）３０１，３０２と、を備える。
【００１９】
Ｈｏｍｅ−ＮＢ４０１は、ＣＳＧＩＤ２０１を有するＣＳＧＩＤ２０１保持セル１０１、Ｈｏｍｅ−ＮＢ４０２は、ＣＳＧＩＤ２０２を有するＣＳＧＩＤ２０２保持セル１０２、Ｈｏｍｅ−ＮＢ４０３は、ＣＳＧＩＤ２０３を有するＣＳＧＩＤ２０３保持セル１０３、Ｈｏｍｅ−ＮＢ４０４は、ＣＳＧＩＤ２０１を有するＣＳＧＩＤ２０１保持セル１０４、を、それぞれ形成している。
なお、Ｈｏｍｅ−ＮＢ４０１，４０３，４０４はマクロセル１５１に含まれ、Ｈｏｍｅ−ＮＢ４０２，４０３はマクロセル１５１に含まれるが、ＮＢ４０４はマクロセル１５２の境界上にも存在している。
【００２０】
以下、本実施形態の移動体無線通信網における近隣セル設定システムの、各構成要素の機能について説明する。
図１に示すモバイルネットワークにおいて、Ｈｏｍｅ−ＮＢ４０１は、家庭用、会社用などの限られた小さなエリアにおいて、Ｈｏｍｅ−ＮＢ４０１の所有者用のＣＳＧＩＤ２０１、及び当該所有者に認められた１つ以上のＣＳＧＩＤ２０２，２０３等、ＣＳＧホワイトリスト（ＣＳＧ−Ｗｈｉｔｅｌｉｓｔ）を保持する無線通信端末３０１、３０２のみに対してアクセスが可能となる。
【００２１】
また、３ＧＰＰ（３ｒｄ Ｇｅｎｅｒａｔｉｏｎ Ｐａｒｔｎｅｒｓｈｉｐ Ｐｒｏｊｅｃｔ）ＴＳ２２．０１１ Ｓｅｒｖｉｃｅ  Ａｃｃｅｓｓｉｂｉｌｉｔｙで検討されている通り、Ｈｏｍｅ−ＮＢ４０１〜４０４は、各々に対応するＨｏｍｅ−ＮＢ自身のＣＳＧＩＤ２０１，２０２，２０３，２０１を保持し、Ｈｏｍｅ−ＮＢ自身が送信する各ＣＳＧＩＤ保持セル１０１，１０２，１０３，１０４においてブロードキャストする。
ここで、Ｈｏｍｅ−ＮＢ４０１，４０４は、同じＣＳＧＩＤ２０１を保持しているが、無線通信端末（ここでは、無線通信端末３０１、３０２）には、同じＣＳＧＩＤ２０１をホワイトリストに持つならば、自由にそれらのＣｅｌｌ間を移動し、アクセス可能としている。
【００２２】
ここで、ＣＳＧとは、モバイルネットワークシステムにおいて、一部の無線通信端末のみがアクセス可能な加入者グループを指し、それぞれ固有のＣＳＧＩＤが割り当てられる。ＣＳＧＩＤは各Ｈｏｍｅ−ＮＢによって、自身のセルにブロードキャストされている。
ＣＳＧＩＤがブロードキャストされているセルはＣＳＧセルと呼ばれ、商用で広域に利用される無線基地局が持っているマクロセルとは異なるセルである。
ＣＳＧホワイトリストとは、無線通信端末がアクセス可能であるＣＳＧセルにブロードキャストされているＣＳＧＩＤのリストであり、或るＣＳＧセルにおいてブロードキャストされているＣＳＧＩＤが、或る無線通信端末のＣＳＧホワイトリストに含まれない場合、当該無線通信端末は、このＣＳＧセルにはアクセスすることが許可されていないが、或る無線通信端末に含まれる場合には、当該無線通信端末は、このＣＳＧセルにアクセスすることが許容される。
【００２３】
また、Ｈｏｍｅ−ＮＢ４０１は、Ｈｏｍｅ−ＮＢ４０１のカバレッジを覆っている商用のマクロセル１５１、１５２を運用する無線基地局（以下、Ｎｏｄｅ−Ｂ）５０１、５０２のセル１５１，１５２、及びＨｏｍｅ−ＮＢ４０１の近隣に存在しているので、Ｈｏｍｅ−ＮＢ４０１は、上記カバレッジの一部を共有しているＨｏｍｅ−ＮＢ４０２，４０３，４０４に対応する各ＣＳＧＩＤ保持セル１０２，１０３，１０４が、ＣＳＧＩＤ２０１保持セル１０１の近隣セルとして存在することが認識可能となる。
【００２４】
Ｈｏｍｅ−ＮＢ４０１が、当該カバレッジの一部、若しくは全てを共有する近隣セルを当該Ｈｏｍｅ−ＮＢ所有者のもつ無線通信端末３０１に通知する時に、それら近隣セルのＣＳＧＩＤおよびＨｏｍｅ−ＮＢ４０１の所有者用のＣＳＧホワイトリストとを比較して、ＣＳＧホワイトリストに含められるＣＳＧＩＤを持つ近隣セルのみを抽出する手順を実行することにより、Ｈｏｍｅ−ＮＢ４０１に接続された無線通信端末３０１のみが移動可能な近隣セルを優先して通知することが可能となり、これにより、Ｈｏｍｅ−ＮＢ４０１の所有者用のＨｏｍｅ−ＮＢ間、Ｈｏｍｅ−ＮＢ・ＮｏｄｅＢ間の移動手順の簡略化を実現することができる。
【００２５】
図２は、本実施形態の移動体無線通信網における近隣セル設定システムのＨｏｍｅ−ＮＢの１構成例を示すブロック構成図である。
同図に示すＨｏｍｅ−ＮＢは、Ｈｏｍｅ−ＮＢの一部、若しくは全てのカバレッジを共有するセルを認識する送受信アンテナ６０１と、受信情報処理部６０２と、Ｈｏｍｅ−ＮＢ自身のＣＳＧＩＤ及びＨｏｍｅ−ＮＢに接続された無線通信端末が移動可能なセルを掲載したＣＳＧホワイトリストのダウンロードが可能なモバイルネットワークシステムサーバー６０３と、外部入力装置６０４と、モバイルネットワークシステムサーバー６０３及び外部入力装置６０４を接続する接続部６０５と、受信情報処理部６０２及び接続部６０５からの情報を記憶するメモリー領域６０６と、メモリー領域６０６に記憶された情報を処理する演算処理部６０７と、演算処理部６０７が生成した情報を送信する送信処理部６０８と、を備えて構成される。
【００２６】
なお、モバイルネットワークシステムサーバー６０３及び外部入力装置６０４は、一般には外部システムであり、Ｈｏｍｅ−ＮＢの構成要素から除外することができる。
メモリー領域６０６は、Ｈｏｍｅ−ＮＢ自身が保持し、ブロードキャストするＣＳＧＩＤと、Ｈｏｍｅ−ＮＢの一部若しくは全てのカバレッジを共有する近隣セルリスト（近隣セルの情報（つまりＣＳＧＩＤ、若しくはマクロセル））と、Ｈｏｍｅ−ＮＢに接続された無線通信端末が移動可能なＣＳＧのリスト（ＣＳＧホワイトリスト）とを記憶する。
演算処理部６０７は、近隣セルリストに掲載されているＨｏｍｅ−ＮＢの一部若しくは全てのカバレッジを共有する近隣セルの情報と、Ｈｏｍｅ−ＮＢに接続された無線通信端末が移動可能なＣＳＧホワイトリストとを比較し、ＣＳＧホワイトリストに含められるＣＳＧＩＤを持つセルを抽出し、これを近隣セル情報として出力する。
【００２７】
送信処理部６０８は、送受信アンテナ６０１を介して無線通信端末に情報を送信する。この送信情報には、受信情報処理部６０２より得られたＨｏｍｅ−ＮＢの一部若しくは全てのカバレッジを共有する近隣セルの情報と、モバイルネットワークシステムサーバー６０３や外部入力装置６０４から接続部６０５を介してダウンロードした、Ｈｏｍｅ−ＮＢ自身のＣＳＧＩＤと、上記の近隣セル情報とを、送信処理部６０８を介して無線通信端末に送信する。
【００２８】
図３は、図２に示すメモリー領域６０６に記憶されているデータの１例を示すデータ構成図である。
同図に示すとおり、メモリー領域６０６は、Ｈｏｍｅ−ＮＢ自身が保持していて、ブロードキャストするＣＳＧＩＤ（＝２０１）が記憶されており、また、Ｈｏｍｅ−ＮＢの一部若しくは全てのカバレッジを共有する近隣セルのＩＤ（ここでは、近隣セルの符号をＩＤとしている）とＣＳＧＩＤ若しくはマクロセルとの対応関係を示す対応表と、Ｈｏｍｅ−ＮＢに接続された無線通信端末が移動可能なＣＳＧホワイトリストと、を記憶している。
図４は、図２に示すメモリー領域６０６のデータと、このデータを演算処理部６０７で処理した処理結果とを示すデータ構成図である。
【００２９】
同図に示すとおり、演算処理部６０７は、近隣セルリストにおいてＨｏｍｅ−ＮＢの一部若しくは全てのカバレッジを共有する近隣セルのうち、ＣＳＧホワイトリストに含められたＣＳＧＩＤを持つ近隣セルのみを抽出する。具体例として、セル１０１の近隣セルリストにおいて、近隣セル１０２，１０３，１０４は、それぞれＣＳＧＩＤとして、２０２，２０３，及び２０１を持ち、近隣セル１５１，１５２にはマクロセルが含められており、他方、ＣＳＧホワイトリストには、ＣＳＧＩＤとして、２０１，２５１，２５２、及びマクロセルを含んでいるので、演算処理部６０７が抽出する近隣セルリストには、近隣セル１０４，１５１，１５２が掲載される。
【００３０】
なお、無線通信端末に近隣セル情報を送信する送信処理部６０８では、状態がアイドルモードとなっている無線通信端末宛に、ブロードキャストチャネルにおけるシステムインフォメーションブロックに上記の抽出された近隣セル情報を設定し、この近隣セル情報を、状態がコネクトモードとなっている無線通信端末宛てに、個別のＲＲＣ（Ｒａｄｉｏ  Ｒｅｓｏｕｒｃｅ Ｃｏｎｔｒｏｌ）メッセージにて通知できるようにしている。
【００３１】
前述のとおり、本実施形態に係る移動体無線通信網における近隣セル設定システムでは、Ｈｏｍｅ−ＮＢの構成として、送受信アンテナ６０１、受信情報処理部６０２、モバイルネットワークシステムサーバー６０３や外部入力装置６０４との接続部６０５、及び送信処理部６０８を示したが（図２参照）、これらの構成要素は、当業者にとってよく知られており、また本発明とは直接関係しないので、その詳細構成及び説明は省略する。
なお、図２に示すＨｏｍｅ−ＮＢの一部若しくは全てのカバレッジを共有する近隣セルの情報は、モバイルネットワークシステムサーバー６０３や外部入力装置６０４からダウンロードしてもよい。
【００３２】
また、本実施形態では、ＵＴＲＡＮのためのＨｏｍｅ−ＮＢについて言及しているが、このＨｏｍｅ−ＮＢは、Ｅ−ＵＴＲＡＮ（ＴＳ３６．３００）で検討されているＨｏｍｅ−ｅＮＢにも適用可能である。
【００３３】
また、無線通信端末が移動可能なＣＳＧホワイトリストについては、前述のとおり、モバイルネットワークシステムサーバー６０３から取得するものとしているが、その手段としては、ＲＡＮＡＰ（３ＧＰＰＴＳ２５．４１３）、ＨＮＢＡＰ（３ＧＰＰ ＴＳ２５．４６９）、ＲＵＡ（３ＧＰＰ ＴＳ２５．４６８）の、いずれかのメッセージを介して取得することが可能である。また、リモートサーバーからのパラメータ設定として、ＴＲ０６９（エンド・ユーザ機器の遠隔管理のためのアプリケーション層のプロトコル）を利用して設定することも可能である。その他、無線通信端末自身から、送受信アンテナ６０１、受信情報処理部６０２を介して、Ｈｏｍｅ−ＮＢに通知して、メモリー領域６０６に保持することも可能であるが、この場合、Ｈｏｍｅ−ＮＢは、１例として、ＲＲＣ（ＴＳ２５．３３１）のメッセージで取得することができる。
【００３４】
図５は、無線通信端末のための近隣セル設定にＨｏｍｅ−ＮＢの所有者用のＣＳＧホワイトリストを利用する場合のＨｏｍｅ−ＮＢの動作を示すタイムチャート図である。
以下、本発明の特徴である、Ｈｏｍｅ−ＮＢ配下に存在してＨｏｍｅ−ＮＢの所有者がもつ無線通信端末のための近隣セル設定にＨｏｍｅ−ＮＢの所有者用のＣＳＧホワイトリストを利用する場合のＨｏｍｅ−ＮＢの動作を、図５に示すタイムチャートを使用して説明する。
【００３５】
同図において、Ｈｏｍｅ−ＮＢが起動されると、モバイルネットワークシステムサーバー６０３や外部入力装置６０４からＨｏｍｅ−ＮＢ自身が持ちブロードキャストするＣＳＧＩＤと、Ｈｏｍｅ−ＮＢに接続された無線通信端末が移動可能なＣＳＧホワイトリストとが、接続部６０５を介してメモリー領域６０６に送出され、記憶される。また、Ｈｏｍｅ−ＮＢの一部若しくは全てのカバレッジを共有する近隣セルの情報は、近隣のＨｏｍｅ−ＮＢもしくはＮｏｄｅＢからも、送受信アンテナ６０１と、受信情報処理部６０２とを介して、メモリー領域６０６に送出され、記憶される。
【００３６】
メモリー領域６０６は、Ｈｏｍｅ−ＮＢの一部若しくは全てのカバレッジを共有する近隣セルの情報（つまりＣＳＧＩＤ若しくはマクロセル）と、Ｈｏｍｅ−ＮＢに接続された無線通信端末が移動可能なＣＳＧホワイトリストを受け取ると、この情報を記憶すると共に、演算処理部６０７にも供給する。演算処理部６０７では、図４に示すとおり、セル１０４，１５１，１５２とを、ＣＳＧホワイトリストに含めるＣＳＧＩＤを持つセル（即ち近隣セル情報）として抽出し、演算処理部６０７は、この近隣セル情報を、送信処理部６０８を介して、無線通信端末に送信する。
【００３７】
なお、ここでは、ＵＴＲＡＮのためのＨｏｍｅ−ＮＢについて説明しているが、このＨｏｍｅ−ＮＢは、Ｅ−ＵＴＲＡＮ（ＴＳ３６．３００）で検討されているＨｏｍｅ−ｅＮＢとしても適用可能であるが、Ｅ−ＵＴＲＡＮの場合は、近隣セル情報として、無線通信端末に移動させないセルのリストであるブラックリスト（Ｂｌａｃｋｌｉｓｔ）を設定することになる。また、この場合、セル１０２，１０３が、ブラックリストとして抽出され、この情報が、近隣セル情報として、無線通信端末に、送信処理部６０８を介して送信される。
（本発明の他の実施形態）
【００３８】
本発明の他の実施形態の基本的構成は、前述の本発明の実施形態の通りであるが、Ｈｏｍｅ−ＮＢに接続された無線通信端末が移動可能なＣＳＧホワイトリストについては、さらに工夫している。
図６は、本発明の他の実施形態に係る移動体無線通信網における近隣セル設定システムにおいて、Ｈｏｍｅ−ＮＢのメモリー領域６０６に格納されるデータ例を示すデータ構成図である。
同図では、ＣＳＧホワイトリストに、後述する追加データを有する。
図６において、Ｈｏｍｅ−ＮＢの所有者が一時的にアクセス可能となったＴｅｍｐｏｒａｒｙ−ＣＳＧＩＤのリストを、Ｔｅｍｐｏｒａｒｙ−ＣＳＧホワイトリスト（追加情報）として、メモリー領域６０６に含め、常にアクセス可能なセルのＣＳＧＩＤのリストであるＰｅｒｍａｎｅｎｔ−ＣＳＧホワイトリストと共に保持する。
【００３９】
図７は、図６に示すメモリー領域６０６のデータと、このデータを演算処理部６０７で処理した処理結果とを示すデータ構成図である。
同図に示すとおり、演算処理部６０７は、近隣セルリストにおいてＨｏｍｅ−ＮＢの一部若しくは全てのカバレッジを共有する近隣セルの情報のうち、Ｐｅｒｍａｎｅｎｔ−ＣＳＧホワイトリスト及びＴｅｍｐｏｒａｒｙ−ＣＳＧホワイトリストに含められるＣＳＧＩＤを持つセルのみを抽出する。具体例として、セル１０１の近隣セルリストにおいて、近隣セル１０２，１０３，１０４は、それぞれＣＳＧＩＤとして、２０２，２０３，２０１を持ち、セル１５１，１５２にはマクロセルが含められ、他方、Ｐｅｒｍａｎｅｎｔ−ＣＳＧホワイトリストには、ＣＳＧＩＤとして、２０１，２５１，２５２、及びマクロセルを含み、さらに、Ｔｅｍｐｏｒａｒｙ−ＣＳＧホワイトリストには、ＣＳＧＩＤとして、２０２，２５３を含んでいる。よって、抽出されるセルリストは、セル１０４，１５１，１５２，１０２となる。
【００４０】
図８は、無線通信端末のための近隣セル設定の際に参照されるＣＳＧホワイトリスト（図６，７参照）の更新動作を示すタイムチャート図である。
以下、図８を参照して、無線通信端末のための近隣セル設定の際に参照されるＣＳＧホワイトリスト（図６，７参照）の更新動作を説明する。
図８に示すとおり、Ｔｅｍｐｏｒａｒｙ−ＣＳＧホワイトリストが、モバイルネットワークシステムサーバー６０３や外部入力装置６０４から、接続部６０５を介してメモリー領域６０６に記憶されると、メモリー領域６０６からは、上記Ｔｅｍｐｏｒａｒｙ−ＣＳＧホワイトリストに加えて、Ｐｅｒｍａｎｅｎｔ−ＣＳＧホワイトリスト、及びＨｏｍｅ−ＮＢの一部若しくは全てのカバレッジを共有する近隣セルの情報（つまりＣＳＧＩＤ若しくはマクロセル）が読み出されて、演算処理部６０７に供給される。
【００４１】
演算処理部６０７は、図７に示すとおり、Ｐｅｒｍａｎｅｎｔ−ＣＳＧホワイトリスト及びＴｅｍｐｏｒａｒｙ−ＣＳＧホワイトリストに含められるＣＳＧＩＤを持つセルを抽出し、送信処理部６０８を介して、無線通信端末に近隣セル情報として送信する。
ここで、図６，７に示すＰｅｒｍａｎｅｎｔ−ＣＳＧホワイトリスト及びＴｅｍｐｏｒａｒｙ−ＣＳＧホワイトリストは、モバイルネットワークシステムサーバー６０３や外部入力装置６０４から、接続部６０５を介して入力し、メモリー領域６０６に格納してもよい。また、上記の各リストは、無線通信端末自身から、Ｈｏｍｅ−ＮＢに送信し、Ｈｏｍｅ−ＮＢでは、送受信アンテナ６０１、受信情報処理部６０２を介して受信することで、メモリー領域６０６に格納してもよい。
【００４２】
また、本発明のさらなる他の実施形態として、その基本的構成は上記の通りであるが、Ｈｏｍｅ−ＮＢに接続された無線通信端末が移動可能なＣＳＧホワイトリストについてさらに工夫することが可能である。
図９は、本発明の他の実施形態に係る移動体無線通信網における近隣セル設定システムにおいて、Ｈｏｍｅ−ＮＢのメモリー領域６０６に格納される他のデータ例を示すデータ構成図である。
図９に示すとおり、Ｈｏｍｅ−ＮＢの管轄として当該Ｈｏｍｅ−ＮＢに接続される無線通信端末のＣＳＧホワイトリストを示すＰｒｉｍａｒｙ−ＣＳＧホワイトリストに加えて、当該Ｈｏｍｅ−ＮＢに移動可能な他局管轄の複数の無線通信端末のＣＳＧホワイトリストをＳｅｃｏｎｄａｒｙ−ＣＳＧホワイトリストとしてメモリー領域６０６に追加的に格納し、上記Ｐｒｉｍａｒｙ−ＣＳＧホワイトリストと共に保持する。
【００４３】
図１０は、図９に示すメモリー領域６０６のデータと、このデータを演算処理部６０７で処理した処理結果とを示すデータ構成図である。
同図に示すとおり、演算処理部６０７は、近隣セルリストにおいて、Ｈｏｍｅ−ＮＢの一部若しくは全てのカバレッジを共有する近隣セルの情報のうち、Ｐｒｉｍａｒｙ−ＣＳＧホワイトリスト及びＳｅｃｏｎｄａｒｙ−ＣＳＧホワイトリストに含められるＣＳＧＩＤを持つセルのみを抽出する。具体例として、セル１０１の近隣セルリストにおいて、セル１０２，１０３，１０４は、それぞれＣＳＧＩＤとして、２０２，２０３，２０１を持ち、セル１５１，１５２には、マクロセルが含められる。また、Ｐｒｉｍａｒｙ−ＣＳＧホワイトリストは、ＣＳＧＩＤとして、２０１，２５１，２５２、及びマクロセルを含む。
【００４４】
さらに、Ｓｅｃｏｎｄａｒｙ−ＣＳＧホワイトリストは、ＣＳＧＩＤとして、２０１，２０２，２５３，及びマクロセルを含む。その結果、抽出されたブロードキャストチャネル用の近隣セルリストには、セル１０４，１５１，１５２，１０２が掲載される。   また、Ｓｅｃｏｎｄａｒｙ−ＣＳＧホワイトリストを持つ無線通信端末の個別用近隣セルリストには、セル１０４，１５１，１５２が掲載される。演算処理部６０７は、この抽出した上記近隣セルリストを、Ｓｅｃｏｎｄａｒｙ−ＣＳＧホワイトリストを持つ無線通信端末に、個別のＲＲＣ（Ｒａｄｉｏ Ｒｅｓｏｕｒｃｅ Ｃｏｎｔｒｏｌ）メッセージに含めて通知する。
【００４５】
さらに、Ｈｏｍｅ−ＮＢ４０１の所有者のＰｒｉｍａｒｙ−ＣＳＧホワイトリストを持つ無線通信端末の個別用近隣セルリストには、セル１０２，１０４，１５１，１５２が掲載され、演算処理部６０７は、この抽出した上記近隣セルリストを、Ｐｒｉｍａｒｙ−ＣＳＧホワイトリストを持つＨｏｍｅ−ＮＢ４０１の所有者の無線通信端末に、個別のＲＲＣメッセージに含めて通知する。
図１１は、無線通信端末のための近隣セル設定の際に参照されるＣＳＧホワイトリスト（図９，１０参照）の更新動作を示すタイムチャート図である。
以下、図１１を参照して、無線通信端末のための近隣セル設定の際に参照されるＣＳＧホワイトリスト（図９，１０参照）の更新動作を説明する。
【００４６】
図１１に示すとおり、Ｓｅｃｏｎｄａｒｙ−ＣＳＧホワイトリストが、モバイルネットワークシステムサーバー６０３や外部入力装置６０４から、接続部６０５を介してメモリー領域６０６に格納されると、メモリー領域６０６からは、上記Ｓｅｃｏｎｄａｒｙ−ＣＳＧホワイトリストに加えて、Ｐｒｉｍａｒｙ−ＣＳＧホワイトリスト、及びＨｏｍｅ−ＮＢの一部若しくは全てのカバレッジを共有する近隣セルの情報（つまりＣＳＧＩＤ若しくはマクロセル）が読み出されて、演算処理部６０７に供給される。演算処理部６０７は、図１０に示すとおりに、Ｐｒｉｍａｒｙ−ＣＳＧホワイトリスト及びＳｅｃｏｎｄａｒｙ−ＣＳＧホワイトリストに含められるＣＳＧＩＤを持つセルを抽出し、送信処理部６０８を介して、ブロードキャストチャネル用の近隣セル情報を送信する。
【００４７】
また、同様に、Ｐｒｉｍａｒｙ−ＣＳＧホワイトリストを持つ無線通信端末のためには、Ｐｒｉｍａｒｙ−ＣＳＧホワイトリストに含められるＣＳＧＩＤを持つセルを抽出し、個別のＲＲＣ（ＲａｄｉｏＲｅｓｏｕｒｃｅ Ｃｏｎｔｒｏｌ）メッセージにて通知する。
さらに、同様に、Ｓｅｃｏｎｄａｒｙ−ＣＳＧホワイトリストを持つ無線通信端末のためには、Ｓｅｃｏｎｄａｒｙ−ＣＳＧホワイトリストに含められるＣＳＧＩＤを持つセルを抽出し、個別のＲＲＣ（ＲａｄｉｏＲｅｓｏｕｒｃｅ Ｃｏｎｔｒｏｌ）メッセージにて通知する。
【００４８】
ここで、図９，１０に示すＰｒｉｍａｒｙ−ＣＳＧホワイトリスト及びＳｅｃｏｎｄａｒｙ−ＣＳＧホワイトリストは、モバイルネットワークシステムサーバー６０３や外部入力装置６０４から、接続部６０５を介して入力し、メモリー領域６０６に格納してもよく、また、無線通信端末自身から、Ｈｏｍｅ−ＮＢに送信し、Ｈｏｍｅ−ＮＢでは、送受信アンテナ６０１、受信情報処理部６０２を介して受信し、メモリー領域６０６に格納してもよい。
【００４９】
上記の各実施形態では、前述のとおり、Ｈｏｍｅ−ＮＢの所有者用の固定ＣＳＧホワイトリストだけに限定せず、Ｔｅｍｐｏｒａｒｙ−ＣＳＧホワイトリストや、他の無線通信端末のＣＳＧホワイトリストについても、近隣セル設定の際には、近隣セル抽出条件として柔軟に含めることができるので、Ｈｏｍｅ−ＮＢの所有者の自由な移動や、Ｈｏｍｅ−ＮＢの所有者以外の無線通信端末の自由な移動を可能にするシステムを実現することができるという効果が得られる。
また、本発明のさらなる他の実施形態として、その基本的構成は上記の通りであるが、近隣セル情報の設定内容については、さらに工夫することが可能である。
【００５０】
この実施形態においては、Ｈｏｍｅ−ＮＢは、そのＨｏｍｅ−ＮＢに接続可能な無線通信端末のＣＳＧホワイトリストを認識し、Ｈｏｍｅ−ＮＢの一部若しくは全てのカバレッジを共有する近隣セルの情報（つまりＣＳＧＩＤ若しくはマクロセル）に無線通信品質の補正値（Ｑｏｆｆｓｅｔ）を付与する。近隣セルの情報において、ＣＳＧホワイトリストに含まれるセルについてはＱｏｆｆｓｅｔを高く設定し、ＣＳＧホワイトリストに含まれないセルについては、Ｑｏｆｆｓｅｔを低く設定する。なお、このＱｏｆｆｓｅｔは、ＲＲＣ（ＲａｄｉｏＲｅｓｏｕｒｃｅ Ｃｏｎｔｒｏｌ）メッセージ（ＴＳ２５．３３１、ＴＳ３６．３３１）に含めて与えられるパラメータであり、無線通信端末が測定した近隣セルの品質にＱｏｆｆｓｅｔを加味して、無線通信端末が近隣セルの品質優先度を設定する。
【００５１】
図１２は、メモリー領域６０６のデータと、近隣セルの無線通信品質の補正値（Ｑｏｆｆｓｅｔ）とを演算処理部６０７で処理した処理結果を示すデータ構成図である。
同図に示すとおり、演算処理部６０７は、近隣セルリストにおいてＨｏｍｅ−ＮＢの一部若しくは全てのカバレッジを共有する近隣セルの情報のうち、ＣＳＧ−ホワイトリストに含められるＣＳＧＩＤを持つセルのみを抽出する。具体例として、セル１０１の近隣セルリストにおいて、セル１０２，１０３，１０４は、それぞれＣＳＧＩＤとして、２０２，２０３，２０１を持ち、セル１５１，１５２にはマクロセルが含められる。
【００５２】
また、ＣＳＧホワイトリストは、ＣＳＧＩＤとして、２０１，２５１，２５２、マクロセルを含む。この場合、無線通信端末に送信される近隣セルリストは、セル１０２，１０３，１０４，１５１，１５２のままであるが、それぞれのセルに設定されるＱｏｆｆｓｅｔにおいて、セル１０２，１０３には低いＱｏｆｆｓｅｔが、セル１０４，１５１，１５２には高いＱｏｆｆｓｅｔが設定される。
図１３は、無線通信端末のための近隣セル設定の際に参照されるＣＳＧホワイトリスト（図１２参照）の更新動作を示すタイムチャート図である。
【００５３】
以下、図１３を参照して、無線通信端末のための近隣セル設定の際に参照されるＣＳＧホワイトリスト（図１３参照）の更新動作を説明する。
図１３に示すとおり、Ｈｏｍｅ−ＮＢが起動されると、モバイルネットワークシステムサーバー６０３や外部入力装置６０４からＨｏｍｅ−ＮＢ自身が持ちブロードキャストするＣＳＧＩＤと、Ｈｏｍｅ−ＮＢの所有者の無線通信端末が移動可能なＣＳＧホワイトリストとが、接続部６０５を介して入力され、メモリー領域６０６に記憶される。また、Ｈｏｍｅ−ＮＢの一部若しくは全てのカバレッジを共有する近隣セルの情報は、無線通信端末からも、送受信アンテナ６０１、受信情報処理部６０２を介して、入力され、メモリー領域６０６に記憶される。
【００５４】
メモリー領域６０６からは、Ｈｏｍｅ−ＮＢの一部若しくは全てのカバレッジを共有する近隣セルの情報（つまりＣＳＧ ＩＤもしくはマクロセル）と、Ｈｏｍｅ−ＮＢの所有者の無線通信端末が移動可能なＣＳＧホワイトリストが読み出され、演算処理部６０７に供給される。これにより、演算処理部６０７は、セル１０２，１０３には低いＱｏｆｆｓｅｔを、セル１０４，１５１，１５２には高いＱｏｆｆｓｅｔを、それぞれ設定した近隣セル情報を生成し、送信処理部６０８を介して、無線通信端末に送信する。
なお、この実施形態では、Ｈｏｍｅ−ＮＢのＣＳＧＩＤのセルと、マクロセルとの、Ｑｏｆｆｓｅｔが同じであるが、Ｈｏｍｅ−ＮＢのＣＳＧＩＤのセルと、マクロセルとのＱｏｆｆｓｅｔには差異を設けて、例えば、Ｈｏｍｅ−ＮＢのＣＳＧＩＤのセルの方に高いＱｏｆｆｓｅｔを付与することも可能である。
【００５５】
さらに、この実施形態では、Ｈｏｍｅ−ＮＢの所有者の無線通信端末が移動可能なＣＳＧホワイトリストについて説明しているが、前述の他の実施例のように、Ｈｏｍｅ−ＮＢの所有者以外の無線通信端末の移動可能なＣＳＧホワイトリストをＨｏｍｅ−ＮＢが取得し、このＨｏｍｅ−ＮＢの所有者以外の無線通信端末にも、このＣＳＧホワイトリストに応じた近隣セル情報を生成して送信することも可能である。
また、この実施形態では、前述のとおり、無線通信端末が保持するＣＳＧホワイトリストをＨｏｍｅ−ＮＢが取得し、無線通信端末に送信する近隣セル情報において、この取得したＣＳＧホワイトリストに属するセルか否かの判断に基づいてＱｏｆｆｓｅｔを設定するので、無線通信端末は、移動可能なセルに効率的に移動することができるという効果が得られる。
【産業上の利用可能性】
【００５６】
本発明に係る移動体無線通信網における近隣セル設定システムは、モバイルネットワークシステムに適用可能であり、特に、家庭用、会社用など限られた小さなエリアのために設置するＨｏｍｅ−ＮＢと、該Ｈｏｍｅ−ＮＢの所有者、及び該Ｈｏｍｅ−ＮＢに接続可能な無線通信端末に対して、効果的なモビリティを付与することができる。
【符号の説明】
【００５７】
１０１，１０４  ＣＳＧＩＤ２０１保持セル
１０２  ＣＳＧＩＤ２０２保持セル
１０３  ＣＳＧＩＤ２０３保持セル
１５１，１５２  マクロセル
２０１〜２０３  ＣＳＧＩＤ（ＣＳＧ−ＩＤ）
３０１，３０２  端末（無線通信端末装置）
４０１〜４０４  Ｈｏｍｅ−ＮＢ（小型無線基地局）
５０１，５０２  基地局
６０１  送受信アンテナ
６０２  送信情報処理部
６０３  モバイルネットワークサーバー
６０４  外部入力装置
６０５  接続部
６０６  メモリー領域
６０７  演算処理部
６０８  送信処理部
【図１】
2010171660.tif 000003
【図２】
2010171660.tif 000004
【図３】
2010171660.tif 000005
【図４】
2010171660.tif 000006
【図５】
2010171660.tif 000007
【図６】
2010171660.tif 000008
【図７】
2010171660.tif 000009
【図８】
2010171660.tif 000010
【図９】
2010171660.tif 000011
【図１０】
2010171660.tif 000012
【図１１】
2010171660.tif 000013
【図１２】
2010171660.tif 000014
【図１３】
2010171660.tif 000015
【図１４】
2010171660.tif 000016